(57)【要約】【課題】自動車等の車両の座席の着座者の乗心地を評価するために必要な着座者へ入る振動の加速度の正確な実測値を得ることができる振動測定装置を提供する。【解決手段】座席に取付け可能な支持板２において、その上面の３個所の隅部３ａ、３ｂ、３ｃに周辺加速度センサー４を設けると共に、前記上面の中央部に中央加速度センサー５を設け、前記周辺加速度センサー４は、３軸加速度センサー４ｂと２軸加速度センサー４ｃと１軸加速度センサー４ａとからなると共に、前記中央加速度センサー５は、３軸加速度センサーからなる。【選択図】　　　　図１
2004045154.tif 000002
【特許請求の範囲】
【請求項１】
座席に取付け可能な支持板において、その上面の周辺部の複数の所定位置に周辺加速度センサーを設けると共に、前記上面の中央部に中央加速度センサーを設けた座席用振動測定装置。
【請求項２】
前記周辺加速度センサーは、３軸加速度センサーと２軸加速度センサーと１軸加速度センサーとからなり、該３軸加速度センサーを、前記支持板の後方の一方の隅部に設けると共に、前記２軸加速度センサーを前記３軸加速度センサーの前方に位置する前記支持板の隅部に設け、前記１軸加速度センサーを前記３軸加速度センサーの側方に位置する前記支持板の他方の後方の隅部に設けた請求項１に記載の座席用振動測定装置。
【請求項３】
前記中央加速度センサーは、３軸加速度センサーからなる請求項１又は請求項２に記載の座席用振動測定装置。
【請求項４】
前記中央加速度センサーは、前記座席上の着座者の軸線に略位置する請求項１乃至請求項３のいずれか１に記載の座席用振動測定装置。
【請求項５】
前記中央加速度センサーは、前記支持板の中央部において該支持板から分離し該支持板に揺動自在に連結した中央支持板部上に設けた請求項１乃至請求項４のいずれか１に記載の座席用振動測定装置。
【請求項６】
前記周辺加速度センサーと前記中央加速度センサーは、周縁部を前記支持板の周縁に結着したカバーにより被覆されている請求項１乃至請求項５のいずれか１に記載の座席用振動測定装置。
【請求項７】
前記カバーはゴムからなる請求項６に記載の座席用振動測定装置。
【発明の詳細な説明】
【０００１】
【発明の属する技術分野】
本発明は自動車等の車両の座席に着座した人の乗心地を評価するために着座者へ入力される振動を測定する座席用振動測定装置に関する。
【０００２】
【従来の技術】
この種の振動測定装置として、支持板上の中央部に３軸加速度センサーを設け、該加速度センサーを、周縁部を前記支持板の周縁に結着したゴム製のカバーにより被覆したものが知られている。
【０００３】
【発明が解決しようとする課題】
前記振動測定装置を用いて座席上の着座者へ座席から入力される振動を測定するときに、加振台上に座席を載置してから該座席の上面に前記振動測定装置を取付け、該座席の前記振動測定装置の上面上に着座者が座って前記加振台に種々の方向の振動を強制的に与え、このとき前記３軸加速度センサーから３軸の加速度測定値のみしか得られず、車両の座席に着座した人の乗心地を求めるための測定データとして不十分である問題点があった。
【０００４】
本発明はこの問題点を解消し、着座者の軸線のローリング、ピッチング、ヨーイングの３軸方向の回転力の測定値を加えた６軸の正確な測定値を得ることができる座席用振動測定装置を提供することを目的とする。
【０００５】
【課題を解決するための手段】
この目的を達成すべく本発明は座席に取付け可能な支持板において、その上面の周辺部の複数の所定位置に周辺加速度センサーを設けると共に、前記上面の中央部に中央加速度センサーを設けたことを特徴とする。
【０００６】
【発明の実施の形態】
本発明の第１の実施の形態を図１乃至図４により説明する。
【０００７】
１は座席用振動測定装置、２は該振動測定装置１の支持板を示し、該支持板２は円形或いは方形の合成樹脂の板状体からなり、該支持板２には３個所の隅部即ち該支持板２の上面の周辺部における後方の左側の位置の第１隅部３ａ、該周辺部において後方の左側の位置の第２隅部３ｂ及び該周辺部において前方の左側の位置の第３隅部３ｃが存在し、前記第１隅部３ａには１軸加速度センサー４ａが、前記第２隅部３ｂには３軸加速度センサー４ｂが、前記第３隅部３ｃには２軸加速度センサー４ｃがそれぞれ配設されており、これら１軸加速度センサー４ａと３動加速度センサー４ｂと２軸加速度センサー４ｃが周辺加速度センサー４を構成する。
【０００８】
ここで前記１軸加速度センサー４ａは立方体状のベース体の上面に公知の加速度センサーが上方に向って固定され、又前記３軸加速度センサー４ｂは立方体状のベース体の互に隣り合う３面即ち上面及び２側面に公知の加速度センサーが上方及び２側方に向ってそれぞれ固定され、又２軸加速度センサー４ｃは立方体状のベース体の互に隣り合う２面即ち上面と１側面に公知の各加速度センサーが上方及び１側方に向ってそれぞれ固定されている。
【０００９】
５は中央加速度センサーを示し、該中央加速度センサー５は立方体状のベースの互に隣り合う３面即ち上面及び２側面に公知の各加速度センサーが上方及び２側方に向ってそれぞれ固定されている３軸加速度センサーからなり、前記支持板２の中央部即ち着座者Ｐの軸線Ｑ即ち着座者の座骨結節を通る垂直線に略位置するように設けられている。
【００１０】
６はカバーを示し、該カバー６はゴム製からなり、前記周辺加速度センサー４の１軸加速度センサー４ａ、３軸加速度センサー４ｂ、２軸加速度センサー４ｃ及び中央加速度センサー５を被覆して周縁部において前記支持板２の周縁に結着されている。
【００１１】
次に前記実施の形態の振動測定装置１を用いての座席上の着座者へ入る振動の測定について図３及び図４により説明する。
【００１２】
加振台７の上面に座席８を載置してから、該座席８の座席部８ａに前記振動測定装置１をその支持板２において取付ける。このとき、該振動測定装置１の中央加速度センサー５が、前記座席８に座る被試験者即ち着座者Ｐの軸線Ｑと略一致するように前記振動測定装置１を座席部８ａに取り付ける。
【００１３】
更に前記振動測定装置１の周辺加速度センサー４の１軸加速度センサー４ａ、３軸加速度センサー４ｂ、２軸加速度センサー４ｃ及び中央加速度センサーである３軸加速度センサー５からの検出信号線を演算処理装置１１に接続し、前記加振台７の各加振方向の加振機７ａ〜７ｅは駆動回路１２を介して加振制御装置１３に接続されている。
【００１４】
かくて、座席８に被試験者が座り、加振制御装置１３からの制御信号により駆動回路１２を介して各加振機７ａ〜７ｅを振動駆動し、加振台７を走行中の自動車の如く種々の方向に振動させる。この振動中、振動測定装置１の各加速度センサーからの検出信号を演算処理装置１１において所定の演算処理をして人間の乗心地を表わす測定値を得る。
【００１５】
即ち、図５の如く振動測定装置１の後方の左側に位置する３軸加速度センサー４ｂからの３方向の加速度測定値Ａｘ０、Ａｙ０、Ａｚ０と、前方の左側に位置する２軸加速度センサー４ｃの２方向の加速度測定値Ａｙ１、Ａｚ１と、後方の右側に位置する１軸加速度センサー４ａの１方向の加速度測定値Ａｘ２及び中央加速度センサーの３方向の加速度測定値Ａｘ３、Ａｙ３、Ａｚ３の各加速度測定値の検出信号を演算処理装置１１へ出力して該演算処理装置１１において所定の演算処理を行う。
【００１６】
ｘ軸を中心とした回転力即ち、ローリングａｒｘ、ｙ軸を中心とした回転力即ち、ピッチングａｒｙ及びｚ軸を中心とした回転力即ち、ヨーイングａｒｚについては、
ａｒｘ＝（Ａｚ２−Ａｚ０）／Ｄｙ　…（１）
ａｒｙ＝（Ａｚ１−Ａｚ０）／Ｄｘ　…（２）
ａｒｚ＝（Ａｙ１−Ａｙ０）／Ｄｘ　…（３）
これら（１）、（２）及び（３）式の演算を演算処理装置１１において実行することにより得る。
【００１７】
ここでＤｙは振動測定装置１における後方位置の左右の加速度センサー４ａ、４ｂ間の距離、又Ｄｘは該振動測定装置１における左側の前後の加速度センサー４ｂ、４ｃ間の距離、又ｘ軸は基準点即ち後方の左側の加速度センサー４ｂの位置から前方に延びる軸、ｙ軸は該基準点から右方へ延びる軸、ｚ軸は該基準点から上方へ延びる軸を示す。
【００１８】
このように着座者Ｐの軸線Ｑと略一致する位置に中央加速度センサー５を配置して、該中央加速度センサー５により該軸線Ｑ上の正確なｘ、ｙ、ｚ軸の３軸の実測定値が得られ、又支持板２の３個所の各隅部に１軸加速度センサー４ａ、３軸加速度センサー４ｂ、２軸加速度センサー４ｃのそれぞれを配設し、これら加速度センサー４ａ、４ｂ、４ｃからの加速度測定値により前述の如く演算処理によりｘ、ｙ、ｚ軸の３軸の回転力の測定値が得られ、かくて両者の和として６軸の正確な測定値が得られる。
【００１９】
尚、全身振動測定装置に関するＩＳＯ２６３１−１に準拠して、図３の如く３軸加速度センサー９を前記座席８の背もたれ部８ｂに取付けると共に、他の３軸加速度センサー１０を被試験者の足元の前記加振台７の上面に取付け、図４の如く、これら３軸加速度センサー９、１０を前記演算処理装置１１に接続し、これら２個所の３軸の６軸と前記６軸の合計１２軸の座席の着座者の全身に入力される振動の測定値を得ることができる。
【００２０】
図６及び図７は本発明の第２の実施の形態を示し、この実施の形態においては、支持板２はその中央部において分割して周辺支持板部２ａと中央支持板部２ｂとからなると共にこれら周辺支持板部２ａと中央支持板部２ｂとは、可撓性の合成樹脂製の帯状体の如き連結部材１４により互に連結されており、前記周辺支持板部２ａの上面に前記周辺加速度センサー４ａ、４ｂ、４ｃが設けられていると共に、前記中央支持板部２ｂの上面に中央加速度センサー５が設けられている。
【００２１】
かくて中央加速度センサー５は中央支持板部２ｂと共に周辺支持板部２ａと分離して独自の振動が可能となり、更に正確な振動測定が達成できる。
【００２２】
【発明の効果】
このように本発明によると、周辺部の複数の所定位置に周辺加速度センサーを設けた支持板の中央部に中央加速度センサーを設けたので、座席上の着座者へ座席から入力される６軸の振動の加速度実効値を正確に得ることができ、座席の快適性の設計を正確に行うことができる効果を有する。
【図面の簡単な説明】
【図１】本発明の第１の実施の形態の振動測定装置のカバーを除去した状態の加速度センサーの配置を示す斜視図である。
【図２】該振動測定装置の断面図である。
【図３】該振動測定装置を用いての測定状態を示す説明図である。
【図４】測定系のブロック線図である。
【図５】該振動測定装置の各加速度センサーの振動量を示すグラフである。
【図６】本発明の第２の実施の形態の振動測定装置のカバーを除去した状態の加速度センサーの配置を示す斜視図である。
【図７】該振動測定装置の断面図である。
【符号の説明】
１　　　　　　　　振動測定装置
２　　　　　　　　支持板
３ａ、３ｂ、３ｃ　隅部
４　　　　　　　　周辺加速度センサー
４ａ　　　　　　　１軸加速度センサー
４ｂ　　　　　　　３軸加速度センサー
４ｃ　　　　　　　２軸加速度センサー
５　　　　　　　　中央加速度センサー
６　　　　　　　　カバー
８　　　　　　　　座席
【図１】
2004045154.tif 000003
【図２】
2004045154.tif 000004
【図３】
2004045154.tif 000005
【図４】
2004045154.tif 000006
【図５】
2004045154.tif 000007
【図６】
2004045154.tif 000008
【図７】
2004045154.tif 000009